(57)【特許請求の範囲】
【請求項１】
タンクを保持するタンク保持機構であって、
前記タンクの下部を支持するケース部材と、
前記ケース部材に設けられ、互いに対向する第１側壁及び第２側壁と、
前記ケース部材の前記第１側壁及び前記第２側壁と直交する側面に設けられた開口部と、
前記ケース部材の前記第１側壁及び前記第２側壁と直交する２つの側面に、回動可能に支持されているホルダーと、を備え、
前記ホルダーは、前記開口部よりも下方に位置する待機位置と、前記開口部を跨ぐように位置する保持位置との間で回動し、
前記タンクを前記ケース部材に固定するためのベルトを更に備え、
前記ベルトの長手方向の一端側は、前記第１側壁に連結され、
前記ベルトの長手方向の他端側は、前記ホルダーの前記第２側壁側の連結部に連結されている、タンク保持機構。
【請求項２】
前記ベルトは、前記タンクの取っ手の開口部を通過した状態で、前記第１側壁と前記ホルダーとに連結されている、
請求項１に記載のタンク保持機構。
【請求項３】
前記タンクは、燃料を貯蔵する燃料携行缶であり、
前記タンク保持機構は、車両に設けられている、
請求項１又は２に記載のタンク保持機構。
【発明の詳細な説明】
【技術分野】
【０００１】
本発明は、タンクを保持するタンク保持機構に関する。
【背景技術】
【０００２】
車両の中には、燃料等を蓄えるタンクを保持するタンク保持機構を有するものがある。タンクは、タンク保持機構のケース部材に着脱可能に装着されている。
下記の特許文献１には、予備燃料缶を固定する固定装置を有する車両が開示されている。
【先行技術文献】
【特許文献】
【０００３】
【特許文献１】実開昭６３−１５９３２７号公報
【発明の概要】
【発明が解決しようとする課題】
【０００４】
特許文献１に開示の固定装置では、受けケースが予備燃料缶の下部の周囲全体を覆うことで、予備燃料缶が受けケースから外れ難い構成となっている。しかし、上記の受けケースの構造の場合には、重量がある予備燃料缶を上方に持ち上げて着脱する必要があるため、予備燃料缶を着脱し難いという問題が生じている。
【０００５】
そこで、本発明はこれらの点に鑑みてなされたものであり、ケース部材へのタンクの着脱を行いやすくすると共に、強固に保持できるタンク保持機構を提供することを目的とする。
【課題を解決するための手段】
【０００６】
本発明の一の態様においては、タンクを保持するタンク保持機構であって、前記タンクの下部を支持するケース部材と、前記ケース部材に設けられ、互いに対向する第１側壁及び第２側壁と、前記ケース部材の前記第１側壁及び前記第２側壁と直交する側面に設けられた開口部と、前記ケース部材の前記第１側壁及び前記第２側壁と直交する２つの側面に、回動可能に支持されているホルダーと、を備え、前記ホルダーは、前記開口部よりも下方に位置する待機位置と、前記開口部を跨ぐように位置する保持位置との間で回動する、タンク保持機構を提供する。
かかるタンク保持機構によれば、ケース部材の側面からタンクの着脱が可能となり、タンクをケース部材の上面から持ち上げて着脱する場合に比べて、作業しやすい。また、ホルダーを設けることで、タンクの複数の側面を保持できるので、タンクの移動を規制できる。この結果、タンクがケース部材から脱落することを防止できる。
【０００７】
また、前記タンク保持機構は、前記タンクを前記ケース部材に固定するためのベルトを更に備え、前記ベルトの長手方向の一端側は、前記第１側壁に連結され、前記ベルトの長手方向の他端側は、前記ホルダーの前記第２側壁側の連結部に連結されていることとしてもよい。
【０００８】
また、前記ベルトは、前記タンクの取っ手の開口部を通過した状態で、前記第１側壁と前記ホルダーとに連結されていることとしてもよい。
【０００９】
また、前記タンクは、燃料を貯蔵する燃料携行缶であり、前記タンク保持機構は、車両に設けられていることとしてもよい。
【発明の効果】
【００１０】
本発明によれば、ケース部材へのタンクの着脱を行いやすくすると共に、強固に保持できるという効果を奏する。
【図面の簡単な説明】
【００１１】
【図１】一の実施形態に係るタンク保持機構１がタンク２を保持した状態を示す斜視図である。
【図２】タンク保持機構１を正面側から見た図である。
【図３】タンク保持機構１を上面側から見た図である。
【図４】タンク保持機構１を右側面から見た図である。
【図５】タンク２をケース部材１０から取り外す態様を説明するための模式図である。
【発明を実施するための形態】
【００１２】
＜タンク保持機構の概要＞
図１を参照しながら、本発明の一の実施形態に係るタンク保持機構の概要について説明する。
【００１３】
図１は、一の実施形態に係るタンク保持機構１がタンク２を保持した状態を示す斜視図である。タンク保持機構１は、例えばトラック等の車両に搭載されている。タンク保持機構１は、燃料を貯蔵するタンク２を保持する。
【００１４】
タンク２は、補給用の予備タンクであり、具体的には使用者が携行可能な燃料携行缶である。タンク２の上部には、使用者が把持する取っ手２ａが設けられている。タンク２は、タンク保持機構１に着脱可能に装着されている。タンク２は、略直方体の形状を成している。タンク２が保持された状態においては、タンク２の長手方向はＸ軸方向に沿っており、タンク２の短手方向はＹ軸方向に沿っているものとする。
【００１５】
タンク２は、車両の走行中等にタンク保持機構１から脱落しないように、タンク保持機構１に強固に保持されている。タンク保持機構１は、図１に示すように、ケース部材１０と、ホルダー２０と、ベルト３０とを有する。
【００１６】
ケース部材１０は、箱状に形成されており、タンク２を支持する。具体的には、ケース部材１０は、タンク２の下部を支持する。ケース部材１０の前面、左側面、背面には、それぞれ側壁が形成されているが、ケース部材１０の右側面及び上面には、壁が形成されていない。本実施形態では、タンク２は、ケース部材１０の右側面側から装着又は取り外しされるようになっている（図５参照）。かかる場合には、作業者は、重量があるタンク２を上面側から着脱する場合に比べて、タンク２の装着及び取り外しの作業をしやすい。なお、ケース部材１０の詳細構成については、後述する。
【００１７】
ホルダー２０は、ケース部材１０の右側面及び左側面に、回動可能に支持されている。図１に示すように、ホルダー２０は、タンク２の正面２ｃ、右側面２ｄ、左側面２ｅに対向して、ケース部材１０に支持されたタンク２の移動を規制する機能を有する。これにより、タンク２がケース部材１０から脱落することを防止できる。なお、ホルダー２０の詳細構成については、後述する。
【００１８】
ベルト３０は、タンク２を下方に押し付けることで、タンク２をケース部材１０に強固に保持するための固定ベルトである。ベルト３０は、帯状に形成されている。ベルト３０は、タンク２の上方で、Ｙ軸方向（タンク２の短手方向）に沿って張架されている。ベルト３０の長手方向の一端側は、ケース部材１０の背面の壁に引っ掛けられており、ベルト３０の長手方向の他端側は、ホルダー２０に引っ掛けられている。上記のようにベルト３０を張架する場合には、ベルト３０又はタンク２がずれても、ベルト３０がタンク２上から外れることを防止できる。この結果、タンク２が脱落することを有効に防止できる。なお、ベルト３０には、弛緩するためのバックルが設けられている。
【００１９】
ベルト３０は、図１に示すようにタンク２の取っ手２ａの開口部２ｂを通過した状態で、ケース部材１０の背面の壁と、ホルダー２０とに連結されている。このように、ベルト３０が開口部２ｂを通過している場合には、タンク２がずれる際に取っ手２ａにベルト３０が引っ掛かることで、タンク２が脱落することを防止できる。
【００２０】
＜ケース部材１０及びホルダー２０の詳細構成＞
図２〜図４を参照しながら、タンク保持機構１のケース部材１０及びホルダー２０の詳細構成について説明する。
【００２１】
図２は、タンク保持機構１を正面側から見た図である。図３は、タンク保持機構１を上面側から見た図である。図４は、タンク保持機構１を右側面から見た図である。なお、図２〜図４には、説明の便宜上、ベルト３０を図示していない。
【００２２】
ケース部材１０は、例えば金属製の部材から成る。ケース部材１０は、図２〜図４に示すように、支持部１１と、正面壁１２と、背面壁１３と、左側面壁１４と、開口部１５と、連結部１６とを有する。なお、本実施形態では、正面壁１２が第２側壁に該当し、背面壁１３が第１側壁に該当する。
【００２３】
支持部１１は、タンク２の下部を支持する部分である。支持部１１は、底壁１１ａと、環状壁１１ｂとを有する。
底壁１１ａは、平板状に形成されている。底壁１１ａは、タンク２の底面を支持する。環状壁１１ｂは、底壁１１ａから上方へ延びている壁であり、底壁１１ａの縁に沿って環状に形成されている。
【００２４】
正面壁１２は、ケース部材１０の正面に形成された側壁である。正面壁１２は、環状壁１１ｂから上方へ延出している。なお、正面壁１２は、ケース部材１０の正面の左側のみに形成されているが、これに限定されない。例えば、正面壁１２は、ケース部材１０の正面全体に形成されてもよい。正面壁１２は、タンク２がケース部材１０に装着又は取り外される際に、タンク２をガイドする機能を有する。
【００２５】
背面壁１３は、ケース部材１０の背面に形成された側壁であり、正面壁１２に対向している。正面壁１２は、環状壁１１ｂから上方へ延出している。背面壁１３も、正面壁１２と同様に、タンク２がケース部材１０に装着又は取り外される際に、タンク２をガイドする機能を有する。
【００２６】
左側面壁１４は、ケース部材１０の左側面に形成された側壁である。左側面壁１４は、正面壁１２及び背面壁１３に繋がっている。左側面壁１４は、環状壁１１ｂから上方へ延出している。
【００２７】
開口部１５は、図２に示すように、ケース部材１０の右側面（正面及び背面に直交する側面）において、側壁が形成されていない部分である。このため、ケース部材１０の右側面には、支持部１１の環状壁１１ｂのみが存在する。
【００２８】
図５は、タンク２をケース部材１０から取り外す態様を説明するための模式図である。本実施形態では、ケース部材１０に装着されていたタンク２を、図５に示す矢印方向に移動させながら取り外す。この際、作業者は、タンク２が環状壁１１ｂを乗り越えるように移動させる。かかる場合には、作業者がタンク２をケース部材１０から持ち上げることが不要となるので、作業性が向上する。
【００２９】
連結部１６は、ベルト３０の長手方向の一端側を引っ掛けて連結するための部分である。連結部１６は、背面壁１３の中央上部に設けられている。連結部１６は、背面壁１３から突出するように形成されている。
【００３０】
ホルダー２０は、例えば棒状の部材から成り、Ｕ字状に形成されている。ホルダー２０は、図２〜図４に示すように、基部２１と、右曲げ部２２と、左曲げ部２３とを有する。
【００３１】
基部２１は、ケース部材１０の前面側に、Ｘ軸方向と平行な棒部分である。基部２１は、中央側に、ベルト３０の長手方向の他端側を引っ掛けて連結するための連結部２１ａを有する。
【００３２】
右曲げ部２２は、基部２１の右端から直角に曲げられた部分である。右曲げ部２２は、連結軸２２ａを介して環状壁１１ｂの右側面に連結されている。これにより、右曲げ部２２は、連結軸２２ａ周りに回動可能となっている。
【００３３】
左曲げ部２３は、基部２１の左端から直角に曲げられた部分である。左曲げ部２３は、連結軸２３ａを介して環状壁１１ｂの左側面に連結されている。これにより、左曲げ部２３は、連結軸２３ａ周りに回動可能となっている。
【００３４】
上記の構成のホルダー２０は、開口部１５よりも下方に位置する待機位置（図５に示す位置）と、開口部１５を跨ぐように位置する保持位置（図１に示す位置）との間で回動する。
ホルダー２０が待機位置に位置する際には、図５に示すように、基部２１、右曲げ部２２及び左曲げ部２３は、それぞれ環状壁１１ｂの上端よりも下側に位置する。これにより、ホルダー２０が待機位置に位置した状態でタンク２をケース部材１０に着脱する際に、タンク２がホルダー２０に接触しないので、円滑に作業を行える。
一方で、ホルダー２０が保持位置に位置する際には、基部２１がタンク２の正面に対向し、右曲げ部２２がタンク２の右側面に対向し（右曲げ部２２は開口部１５を跨いでいる）、左曲げ部２３がタンク２の左側面に対向する。これにより、ケース部材１０に保持されたタンク２の移動を規制できるので、タンク２の脱落を防止できる。
【００３５】
なお、上記では、ケース部材１０が、左側面壁１４を有することとしたが、これに限定されない。例えば、ケース部材１０は、左側面壁１４を有しないこととしてもよい。かかる場合には、タンク２をケース部材１０の左側面側から装着又は取り外しが可能となる。
【００３６】
＜本実施形態における効果＞
上述したように、タンク２を保持するタンク保持機構１は、ケース部材１０の右側面に設けられた開口部１５と、ケース部材１０の右側面及び左側面に回動可能に支持されたホルダー２０とを有する。
かかる場合には、ケース部材１０の右側面からタンク２の着脱が可能となり、タンク２をケース部材１０の上面から持ち上げて着脱する場合に比べて、作業しやすい。また、ホルダー２０を設けることで、タンク２の３つの側面（前面、右側面、左側面）を保持できるので、タンク２の移動を規制できる。この結果、タンク２がケース部材１０から脱落することを防止できる。
【００３７】
なお、上記では、タンク２は、予備の燃料を貯蔵するタンクであることとしたが、これに限定されない。例えば、タンク２は、予備の水を貯蔵するタンクであってもよい。
【００３８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００３９】
１    タンク保持機構
２    タンク
１０    ケース部材
１２    正面壁
１３    背面壁
１５    開口部
２０    ホルダー
３０    ベルト
【図１】
0006740732.tif 000002
【図２】
0006740732.tif 000003
【図３】
0006740732.tif 000004
【図４】
0006740732.tif 000005
【図５】
0006740732.tif 000006